(57)【要約】  海藻ロープを主ロープに巻き付けるための海藻種付装置は、フレームと、フレームに回転可能に接続されて主ロープを周囲で受け、かつ主ロープが装置を通して引き出されると回転する摩擦車と、回転軸線を中心として回転可能にフレームに接続された巻枠キャリヤと、回転軸線からオフセットして巻枠キャリヤに接続された海藻出口ガイドと、摩擦車を巻枠キャリヤに接続して、巻枠キャリヤを回転させるように摩擦車の回転運動を変換する変速機とを備える。【選択図】  図１Ａ
2019534702.tif 000002
【特許請求の範囲】
【請求項１】
海藻ロープを主ロープに巻き付けるための海藻種付装置であって、前記装置が、
フレームと、
前記フレームに回転可能に接続されて、前記主ロープを周囲で受け、かつ前記主ロープが前記装置を通して引き出されると回転する摩擦車と、
回転軸線を中心として回転可能に前記フレームに接続された巻枠キャリヤと、
前記回転軸線からオフセットして前記巻枠キャリヤに接続された海藻出口ガイドと、
前記摩擦車を前記巻枠キャリヤに接続して、前記巻枠キャリヤを回転させるように前記摩擦車の回転運動を変換する変速機と
を備える、海藻種付装置。
【請求項２】
前記巻枠キャリヤに接続された巻枠をさらに備える、請求項１に記載の海藻種付装置。
【請求項３】
前記変速機が歯車列を備える、請求項１または２に記載の海藻種付装置。
【請求項４】
前記巻枠キャリヤが前面を有し、前記海藻出口ガイドが前記巻枠キャリヤの前記前面から延びている、請求項１〜３のいずれか一項に記載の海藻種付装置。
【請求項５】
前記変速機が、前記摩擦車から前記巻枠キャリヤへと回転速度を増大させるための複数組の歯車を備える、請求項１〜４のいずれか一項に記載の海藻種付装置。
【請求項６】
前記摩擦車と前記巻枠キャリヤとの間で前記主ロープを案内するための案内車をさらに備える、請求項１〜５のいずれか一項に記載の海藻種付装置。
【請求項７】
前記フレームが、前記主ロープの前記フレーム内への異なる供給高さに適応するための複数のスロットを備える、請求項１〜６のいずれか一項に記載の海藻種付装置。
【請求項８】
前記巻枠キャリヤがカウンタウェイトをさらに備える、請求項１〜７のいずれか一項に記載の海藻種付装置。
【請求項９】
前記装置がナイロン製である、請求項１〜８のいずれか一項に記載の海藻種付装置。
【請求項１０】
前記摩擦車が高摩擦表面コーティングを備える、請求項１〜９のいずれか一項に記載の海藻種付装置。
【請求項１１】
前記摩擦車が１つ以上のロープガイドを備える、請求項１〜１０のいずれか一項に記載の海藻種付装置。
【請求項１２】
前記巻枠が、前記回転軸線と平行な方向に延びる海藻ロープ出口ガイドを備える、請求項１〜１１のいずれか一項に記載の海藻種付装置。
【請求項１３】
前記巻枠キャリヤが、前記摩擦車に巻き付いた後の前記主ロープを受けるための、前記回転軸線を通る中空軸を備え、前記中空軸が前記主ロープの前記装置からの出口として機能する、請求項１〜１２のいずれか一項に記載の海藻種付装置。
【請求項１４】
請求項１〜１３のいずれか一項に記載の海藻種付装置を備える、船舶または水中航走体。
【請求項１５】
海藻を主ロープに巻き付ける方法であって、
前記主ロープを、海藻巻付け装置内へと、摩擦車の周囲に複数回送り、かつ巻枠キャリヤの中空軸の外側に出すステップと、
前記巻枠キャリヤ上の巻枠からの海藻ロープを、前記中空軸から出る前記主ロープに接続するステップと、
前記装置を通して前記主ロープを引き出すステップとを含み、前記巻枠キャリヤは、前記摩擦車の回転が前記巻枠キャリヤを回転させ、前記巻枠から出る前記海藻ロープが前記主ロープに巻き付くように、前記摩擦車に接続している、海藻を主ロープに巻き付ける方法。
【発明の詳細な説明】
【技術分野】
【０００１】
本発明は、海藻種付装置、および海藻種付方法に関する。
【背景技術】
【０００２】
海藻を栽培する場合、海藻ロープまたは種苗は、通常、海藻を固定場所に保持して収穫期を迎えるまで栽培するために使用される主基質のロープに繋がれるかまたは巻き付けられる。これは一般的に「巻付け種付」と呼ばれる。多くの場合、さらなるロープもしくはワイヤが海藻ラインおよび主ロープに巻き付けられて、海藻ラインおよび主ロープを一体に保持する。海藻ロープもしくは種苗を主基質のロープに固定するためのいくつかの異なる装置が利用可能である。韓国特許公開第１０１２３７１５６号明細書は、ロープを種苗ラインで巻付け種付するための方法および装置を開示しており、主基質のロープおよび種苗ラインに巻き付くように固定ロープを使用することを含む。このシステムは、システムを通って移動するために、および固定ロープをロープおよび種苗ラインの周囲に接着させるために、モータによって駆動されるいくつかのプーリおよびローラを使用する。別の同様のシステムが韓国特許第２０１３００５３６４３号明細書に示されており、このシステムは、種苗ラインおよびロープを１つに結び付けるように、結束ロープを種苗ラインおよびロープに巻き付ける。ロープおよび種苗ラインは主パイプを通って送られ、モータによって駆動されるプーリは、ロープおよび種苗ラインがパイプから出る際に回転してロープおよび種苗ラインを１つに結び付ける。これらシステムの各々は、固定ロープまたは結束ロープを使用して主ロープおよび海藻ラインの周囲に適切に結合させるために、装置の様々な部品を駆動するモータを必要とする。モータが必要とされるので、装置は機械的な故障を起こしやすく、その上、過酷な条件下もしくは水中条件下で耐えることができない。
【０００３】
巻付け種付は高価で時間のかかる工程であり、一般的には種苗が海藻ラインに付着する孵化場段階を含む。これには、通常約６週間かかり、厳密に管理された環境が必要である。
【発明の概要】
【０００４】
本発明の第１の態様によれば、海藻ロープを主ロープに巻き付けるための海藻種付装置は、フレームと、フレームに回転可能に接続されて、主ロープを周囲で受け、かつ主ロープが装置を通して引き出されると回転する摩擦車と、回転軸線を中心として回転可能にフレームに接続された巻枠キャリヤと、回転軸線からオフセットして巻枠キャリヤに接続された海藻出口ガイドと、摩擦車を巻枠キャリヤに接続して、巻枠キャリヤを回転させるように摩擦車の回転運動を変換する変速機とを備える。
【０００５】
これは、電気駆動手段を必要とせず、それによって過酷な環境下および／または水中条件下でさえも最高効率で機能することができる海藻種付装置を提供する。変速機を使用して接続し、かつ装置を介した回転運動を変換することはまた、可使時間を通じて点検および維持管理が必要な脆弱な部品が少ないので、より安価でより信頼性のあるシステムを提供することができる。フレームを使用することにより、種付作業の前および／または最中に容易に輸送するために、装置を他の装置または車両に容易に配置するかまたは接続することが可能になる。
【０００６】
一実施形態によれば、装置は巻枠キャリヤに接続された巻枠をさらに備える。巻枠を巻枠キャリヤに接続することにより、主ロープが装置から出る際に海藻を巻き付けるために、海藻を装置に容易に繋ぐことができる。巻枠に含まれた海藻を他の場所で栽培し、その後、巻付けの準備が整った巻枠キャリヤに該巻枠を接続することができる。複数の巻枠を使用して長い海藻を巻き付けることができる。
【０００７】
一実施形態によれば、変速機は歯車列を備える。任意には、変速機は、摩擦車から巻枠キャリヤへと回転速度を増大させるための複数組の歯車を備える。主ロープに対する海藻の比または主ロープの周囲の海藻ラインの密度は、複数の歯車を含む変速機を使用して調整することができる。歯車は、変速機の種類の中で摩擦が最も低い傾向があり、したがって、信頼性のある低摩擦の形態で摩擦車の回転運動を巻枠キャリヤへ変換する。
【０００８】
一実施形態によれば、巻枠キャリヤは前面を有し、海藻出口ガイドは巻枠キャリヤの前面から延びる。このような設計は、海藻ラインを主ロープに巻き付けるための安定した効果的な方法を提供することができる。
【０００９】
一実施形態によれば、装置は、摩擦車と巻枠キャリヤとの間で主ロープを案内するための案内車をさらに備える。これは、例えば９０度など、主ロープの付着角と種付方向との間の最適な角度を確保するのに役立つ。案内車は、このような案内を提供する低摩擦の手段とすることができる。
【００１０】
一実施形態によれば、フレームは、主ロープのフレーム内への異なる供給高さに適応するための複数のスロットを備える。複数のスロットもまた、摩擦車の異なる直径に適応することができる。異なる直径を使用して、主ロープに対する海藻ロープの比を変更することができる。
【００１１】
一実施形態によれば、巻枠キャリヤは１つ以上のカウンタウェイトをさらに備える。１つ以上のカウンタウェイトは、海藻出口ガイドおよび／または巻枠の重量に対抗して巻枠キャリヤを釣り合わせるのに役立ち、それによって巻枠キャリヤを回転させるのに必要な力を減少させることができる。
【００１２】
一実施形態によれば、装置は耐食材料で形成されている。材料は、例えばナイロンなどのポリマー、またはアルミニウムなどの金属および／または合金とすることができる。これにより、たとえ海および／または水中などの腐食性環境においても、装置の耐用年数を確保するのに役立つ。これらの材料はまた、比較的容易な製造および／または構成を提供することができる。
【００１３】
一実施形態によれば、摩擦車は高摩擦表面コーティングを含む。高摩擦表面コーティングは、例えば、樹脂および少なくとも骨材を含むことができる。高摩擦コーティングは、摩擦車への巻付けを、例えば４回ではなく３回などに少なくすることができる。
【００１４】
一実施形態によれば、摩擦車は１つ以上のロープガイドを備える。このようなロープガイドは、摩擦車上でロープを補助するのに役立ち、および／またはロープが摩擦車に沿って横方向に移動することができるように摩擦車からロープを持ち上げるのに役立つ。
【００１５】
一実施形態によれば、巻枠は、回転軸線と平行な方向に延びる海藻ロープ出口ガイドを備える。これは、装置から出る際に海藻ラインを主ロープの周囲に適切に案内するのに役立ち、かつ海藻ラインと主ロープとの間に最適な角度をなすのに役立つ。
【００１６】
一実施形態によれば、巻枠キャリヤは、摩擦車に巻き付いた後の主ロープを受けるための、回転軸線を通る中空軸を備え、中空軸は、主ロープの装置からの出口として機能する。中空軸は、海藻を巻き付けるのに効果的な位置において主ロープの出口を提供することができる。
【００１７】
一実施形態によれば、船舶もしくは水中航走体は、先行する請求項のいずれかに記載の装置を備える。装置のフレームは、車両もしくは船舶への容易な接続、または、車両もしくは船舶の上での容易な接続を可能にすることができる。車両もしくは船舶は、栽培のためにロープおよび海藻ラインを撚糸状にする装置を移動させる容易な方法を提供することができる。
【００１８】
本発明のさらなる態様によれば、海藻を主ロープに巻き付ける方法は、主ロープを、海藻巻付け装置内へと、摩擦車の周囲に複数回送り、かつ巻枠キャリヤの中空軸の外側に出すことと、巻枠キャリヤ上の巻枠からの海藻ロープを、中空軸から出る主ロープに接続することと、装置を通して主ロープを引き出すこととを含む。巻枠キャリヤは、摩擦車の回転が巻枠キャリヤを回転させ、巻枠から出る海藻ロープが主ロープに巻き付くように、摩擦車に接続している。このような方法は、栽培のために海藻ラインを主ロープに効果的かつ制御可能に巻き付ける簡単な方法を提供する。巻枠キャリヤに接続された摩擦車を使用することにより、電気駆動手段を用いることなく海藻ラインを主ロープに巻き付けることが可能になり、多くの維持管理を必要とせず過酷な条件に耐えることができる効果的な装置が可能になる。
【００１９】
本発明のさらなる態様によれば、海藻ラインを種付するための機械が開示される。この機械は、直接種付法を実施することができる。機械は、高くて一定の種付を達成するためにドラム、ロープガイドおよび／または押圧装置を含むことができる。
【００２０】
添付の図面を参照して、本発明を以下により詳細に説明する。
【図面の簡単な説明】
【００２１】
【図１Ａ】海藻種付装置の斜視図である。
【図１Ｂ】図１Ａの海藻種付装置の側面図である。
【図１Ｃ】図１Ａの海藻種付装置の正面図である。
【図１Ｄ】線Ｄ−Ｄに沿った海藻種付装置の上面からの断面図である。
【図２Ａ】直接種付用の海藻種付装置の第２の実施形態の斜視図である。
【図２Ｂ】図２Ａの海藻種付装置の上面図である。
【発明を実施するための形態】
【００２２】
図１Ａは、主ロープ１１と海藻ライン１２とを含む海藻種付装置１０の斜視図を示し、図１Ｂは、海藻種付装置１０の側面図を示し、図１Ｃは、海藻種付装置１０の正面図を示し、図１Ｄは、線Ｄ−Ｄに沿った海藻種付装置１０の上面からの断面図を示す。
【００２３】
海藻種付装置１０は、フレーム１３と、（ロープガイド１５を含む）摩擦車１４と、歯車１８を含む変速機１６と、表面２１および中空軸２２を含む巻枠キャリヤ２０と、海藻出口ガイド２４と、巻枠２６と、案内車２７と、ロープ入口スロット２８と、カウンタウェイト３０を含む。
【００２４】
フレーム１３は、海藻種付装置１０の様々な部分を支持し、かつ実質的に開いたフレームとすることができるか、または側壁を含むことができる。フレーム１３は、主ロープ１１を装置内の摩擦車１４に送るための１つ以上のスロットもしくは開口部２８を含む。スロットもしくは開口部２８は異なる高さに位置して、異なるドラムおよび／またはウインチの大きさおよび配置に適合させることができる。フレーム１３および他の構成要素は、限定するものではないが、例えばナイロンなどのポリマー、木材および／または（合金を含む）アルミニウムなどの金属を含む様々な材料で作ることができる。特に装置が水中などの腐食性環境で使用される場合、耐食性のある材料を使用して耐用年数を延ばすことができる。
【００２５】
摩擦車１４はフレーム１３に接続しており、フレーム１３に対して回転することができる。摩擦車１４を様々な大きさにすることができるが、その幅は、主ロープ１１が摩擦車１４に何度も巻き付くのに十分な幅である。回数を変更することはできるが、ロープ１１が装置１０を通って移動する際に摩擦車１４を回転させるのに十分な摩擦が確実に生じるように、例えば２〜１０回とすることができる。摩擦車１４を、例えば樹脂および骨材を含んだ例えば高摩擦表面コーティングで被覆することができる。このようなコーティングは、有効性を低下させることなく、ロープの摩擦車１４の周囲への巻付けを少なくすることを可能にするであろう。
【００２６】
変速機１６は、フレーム１３に接続され、かつ摩擦車１４を巻枠キャリヤ２０にさらに接続する複数の歯車組１８を備える。摩擦車１４への接続は、図１Ｄに見られるように、摩擦車１４と歯車１８との間の共通の軸を介している。図１Ａ〜図１Ｄに示す実施形態では、変速機１６は歯車列を形成する３つの歯車組１８を含む。これにより、摩擦車１４の初期回転速度が２８倍に増大する。他の実施形態は、歯車組を増減して使用するか、または例えばベルトもしくはチェーンなどの他のモードの変速機を使用することができる。歯車列を使用することによって、変速機１６は、巻枠キャリヤ２０に対する摩擦車１４の回転運動を変換して増大させることができる。この増大量は、ロープ１１と海藻ライン１２との所望の巻付けに応じて変更することができる。
【００２７】
巻枠キャリヤ２０はフレーム１３に接続し、回転軸線Ｒを中心に回転する。装置１０では、巻枠キャリヤ２０は装置１０内のフレーム１３の外側に存在するが、いくつかの実施形態ではフレーム１３内に存在することができる。巻枠キャリヤ２０は、回転軸線Ｒと整列する中空軸２２を含む。巻枠キャリヤ２０はまた、回転軸線Ｒからオフセットした位置で巻枠キャリヤ２０に接続する海藻出口ガイド２４を含む。これにより、海藻出口ガイド２４は、巻枠キャリヤ２０が回転している場合に回転軸線Ｒを中心に回転することができる。海藻ライン１２を保持する巻枠２６もまた、装置１０に示すように巻枠キャリヤ２０上に位置することができ、または、巻枠２６は異なる場所に位置して、巻付けのために海藻ライン１２を海藻出口ガイド２４に簡単に供給することができる。カウンタウェイト３０もまた、巻枠キャリヤ２０上に位置して巻枠キャリヤ２０上の海藻出口ガイド２４および／または巻枠２６の重量を平衡させることができる。
【００２８】
１つ以上のガイド１５を使用して、主ロープ１１を摩擦車１４の上で補助することができる。さらに、摩擦車１４から装置１０を通って装置１０の出口へ移動する場合に、主ロープ１１を案内して張力を維持するのに役立つように、１つ以上の案内車２７を使用することができる。案内車２７を使用して、種付ラインの取付け角度と種付の方向との間で例えば９０度にするなど、主ロープ１１の周囲の種付ラインに最適な角度を確保することができる。ドラムの大きさおよび／または位置を変更するだけで、様々なロープ径に適応して種付することができる。
【００２９】
装置１０の使用準備をするために、主ロープ１１を、開口部２８を通して装置１０内に、摩擦車１４の周囲に複数回送るようにガイド１５によって案内することができる。次に、主ロープ１１は案内車２７の周囲に延び、かつ巻枠キャリヤ２０内の中空軸２２の中心から出る。海藻ライン１２は巻枠２６に巻き付けられ、端部は海藻出口ガイド２４から延びる。海藻ライン１２の端部を、例えば一重結びによって主ロープ１１に取り付けることができる。
【００３０】
ここで、主ロープ１１および海藻ライン１２を、栽培のための海藻ラインの設置に使用する準備が整った。中空軸２２において装置１０の主ロープ出口から海藻を栽培するために接続される場所まで、（海藻ライン１２が接続された）主ロープ１１を引き出すことができる。主ロープ１１が引き出されると、主ロープ１１は装置１０を通って移動する。主ロープ１１が摩擦車１４の周囲を移動することによって摩擦車１４が回転し、この回転が変速機１６によって巻枠キャリヤ２０の回転に変換される。歯車１８により、摩擦車１４から巻枠キャリヤ２０への回転運動もまた増大する。海藻ライン１２は主ロープ１１に接続されているので、海藻ライン１２もまた主ロープ１１の移動とともに移動し、中空軸２２を通って出る主ロープ１１の周囲の巻枠キャリヤ２０の回転運動によって、主ロープ１１のみに（螺旋状に）巻き付けられる。摩擦車１４と比較して、巻枠キャリヤ２０の回転運動が増大すると、海藻ロープ１２は主ロープ１１にさらに緊密に巻き付けられる。
【００３１】
また、装置を通って該装置から移動する主ロープ１１の動作は、（上述の通りロープ１２を移動させる代わりに）主ロープ１１を栽培のための設置個所に接続した後に装置１０を移動させることによりできる。このような実施形態では、装置１０は、船舶、水中航走体、または装置１０を所望の場所に移動させることを可能にする任意の他の装置上に位置することができる。
【００３２】
変速機を介して巻枠キャリヤ２０に接続された摩擦車１４を含む装置１０を使用することにより、栽培のために海藻ライン１２を主ロープ１１に巻き付けるための簡単かつ効果的な方法が可能になる。摩擦車１４を使用し、かつ摩擦車１４の回転運動を巻枠キャリヤ２０へ変換することによって、装置１０は、モータなどの電気駆動システムを使用することなく、海藻ライン１２を主ロープ１１に効果的に巻き付けることができる。これにより、水中などの過酷な環境であっても装置１０を効果的に機能させることができる。電気駆動手段を必要としないことにより、同様に、より容易かつより安価に装置を維持することができ、その結果、稼動寿命が全体的に長くなる。フレーム１３を想定した大きさおよび設計により、装置１０を容易に輸送することができ、かついくつかの異なる船舶もしくは車両上で使用するか、またはいくつかの異なる船舶もしくは車両とともに使用することができる。さらに、単純な設計により、容易に分解し再組立てすることができる構成要素が可能になり、使用前および／または使用中の輸送および／または出荷が容易になる。使用する歯車組１８を増減して所望の通り回転運動を柔軟に変更する変速機１６を使用することによって、出力中に所望の巻付け密度を得るように巻付けを大きく制御することができる。また、巻枠キャリヤ２０上のカウンタウェイト３０を使用することは、巻枠キャリヤ２０上の海藻出口ガイド２４および／または巻枠２６の平衡を保つのに役立ち、それによって巻枠キャリヤ２０を回転させるのに必要な力を減少させる。
【００３３】
水中環境において装置１０を使用する能力は、過酷な条件下であっても装置１０および撚糸状ラインを使用する能力をもたらすことができる。強風、激流および／または強い波などの過酷な天候条件下では、装置１０を水面下に沈めて条件の影響を緩和することができ、海藻ライン１２を含むロープ１１を張設したまま保つことができる。
【００３４】
図２Ａは、直接種付用の海藻種付装置４０の第２の実施形態の斜視図を示し、図２Ｂは、海藻種付装置４０の上面図を示している。海藻種付装置４０は、浴部フレーム４２と、ドラム４４と、押圧ローラ４６とを含む。主ロープ５０を保持するドラム４８もまた示されている。
【００３５】
浴部フレーム４２は、接着剤、結合剤および／または粘着剤と海藻種苗との浴を保持する。ドラム４４は浴部フレーム４２内に配置されている。ロープ５０はドラム４４に１回以上巻かれ、ここで、種苗および接着剤にさらされることになる。海藻種苗および接着剤は、ドラムから離れる際にロープ５０に付着し、次いで、ロープ５０は押圧ローラ４６を通過して、海藻種苗がロープ５０に付着した状態を確保するのに役立つ。過剰な海藻種苗および接着剤を、収集および輸送システムまたは他の任意の手段によって装置４０に戻すことができる。ローラ４６は、互いに押圧する２つの車輪または他のローラ手段とすることができる。装置４０は、直接種付法を用いて海藻を栽培するために海藻種苗をロープ５０に繋ぐ簡単な方法を提供する。
【００３６】
図２Ａから最もよく分かるように、ロープが海藻種付装置４０の浴部フレーム４２から出る場合にロープを案内するために案内要素５２が設けられている。案内要素５２は、例えばスナップ式継手などの任意の適切な手段によって浴部フレーム４２に解放可能に接続される。ロープ５０が浴部フレーム４２内および／またはドラム４４の周囲に進むように案内するために、類似の案内要素を設けることができる。なお、案内要素５２はまた、過剰な種苗および／または接着剤を浴部フレーム４２に戻すように案内するための漏斗として機能することができる。このようにして、種付工程の質を最適かつ一定にすることができる。浴部フレーム４２内およびドラム４４の周囲のロープ部分の保持時間の制御、および押圧ロールの力の制御は、種付工程の最終品質を確保するのに役立つ。
【００３７】
ドラム４４は、略半径方向に延び、かつ回転方向に向かって側面に接触面を備えた複数のスラットを備える。スラットには、半径方向に対して約１０〜２０％の傾斜が設けられている。このようにして、ロープ５０は、適切な量の接着剤、結合剤および／または粘着剤と海藻の種苗との混合物を均質に吸収しながら、巻き数を最小限にする。さらに、この構成を有することによって、この動作に必要な空間を最小限にしながら、種付速度をロープの少なくとも毎時１ｋｍとすることができる。これにより、小型で信頼性のある海藻種付装置４０が得られる。
【００３８】
当業者は、前記接着剤、結合剤もしくは粘着剤が、それぞれの接触面の高さで２つ以上の要素を互いに付着させる物質であることを理解するであろう。これは、前記接着剤、結合剤もしくは粘着剤が藻類または海藻のロープ５０への接着を促進するという利点をもたらす。前記接着剤もしくは粘着剤を、前記ロープ５０上に予め別々に塗布することができ、または、接着剤、結合剤および／または粘着剤の浴に加えることができ、この浴は、海藻種付装置４０に入る藻類もしくは海藻の種苗をさらに含むことになる。適切な接着剤、結合剤もしくは粘着剤は、例えばメチルセルロースなどのポリマーを含んでもよい。任意には、前記接着剤、結合剤もしくは粘着剤は生体接着剤である。藻類もしくは海藻がロープに直接繋がれると、この生体接着性材料は希釈される。この希釈は、この藻類もしくは海藻がロープ５０の糸に直接繋がれた付着根を成長させると起こり得る。
【００３９】
なお、直接種付は、接着剤懸濁液に混合される海藻の種苗を含み、孵化場段階を除外して基質ラインに直接適用することができる。このラインは、収穫まで海藻がさらに成長することができるように迅速に現場に配備することができる。接着剤が生分解性である場合、現時点では種苗が基質ロープに確実に固定されているが、接着剤は最終的に消失する。当業者は、種付パラメータを調整することによって、直接種付工程を用いてリボン状基質に種付することもできることを理解するであろう。
【００４０】
当業者はまた、海藻種付装置を陸上および海上で使用することができることを理解するであろう。海上で使用される場合、本発明を車両または船舶に使用することができる。前記車両もしくは船舶は、海藻栽培システムに直接接続された海藻収穫システムと、海藻の基質を結合する結合装置とを含むことができ、ここで、本発明の海藻種付装置もまた提供される。さらに、海藻種付装置が陸上で使用される場合、海藻種付装置を独立型とすることができ、または車両、船舶もしくは海藻栽培システム上で支持することができ、これらのいずれも海岸線から０〜１００メートルまでの場所に位置することができる。
【００４１】
本発明は駆動手段を必要としないように記載されているが、いくつかの実施形態では、電気駆動手段を存在させることができる。システム要件に応じて、歯車組１８を増減して、および／または異なる変速機１６を手段として使用することができる。さらに、巻枠２６および／または海藻出口ガイド２４の形状、構成および位置は、異なる実施形態では異なり得る。
【００４２】
本発明を例示的な実施形態を参照して説明してきたが、当業者は、本発明の範囲から逸脱することなく様々な変更を加え、かつ等価物をその要素に置き換えてもよいことを理解するであろう。さらに、本発明の本質的な範囲から逸脱することなく、多くの修正を加えて特定の状況または材料を本発明の教示に適合させてもよい。したがって、本発明は、開示された特定の実施形態もしくは好ましい実施形態に限定されず、本発明は、添付の特許請求の範囲内に含まれる全ての実施形態を含むことが意図されている。
【図１Ａ】
2019534702.tif 000003
【図１Ｂ】
2019534702.tif 000004
【図１Ｃ】
2019534702.tif 000005
【図１Ｄ】
2019534702.tif 000006
【図２Ａ】
2019534702.tif 000007
【図２Ｂ】
2019534702.tif 000008
【国際調査報告】
2019534702.tif 000009
2019534702.tif 000010
2019534702.tif 000011